(57)【特許請求の範囲】
【請求項１】
射出成形機における型盤（１）の金型取付面（１ａ）における下方部位に、前記金型取付面（１ａ）を水平に横切る線上に沿って互いに間隔をおいて配設された複数の回転自在なローラ（１０ａ，１０ｂ，２０ａ，２０ｂ）を備え、前記ローラ（１０ａ，１０ｂ，２０ａ，２０ｂ）上に金型（３）を載置して移動させることで前記型盤（１）の側部外方から前記金型（３）の搬入と搬出とを行なう金型段取り用ローラ装置を有する型盤（１）において、
前記複数のローラ（１０ａ，１０ｂ，２０ａ，２０ｂ）が、前記型盤（１）の金型取付面（１ａ）に上下方向へのみ移動自在に配設された可動ブラケット（１１，２１）に支持されたローラ（１０ａ，２０ａ）と、前記型盤（１）に固定された型盤側部外方へ突出する固定ブラケット（１２，２２）に支持されたローラ（１０ｂ，２０ｂ）からなり、しかも前記可動ブラケット（１１，２１）は、その下端面が前記型盤（１）に突設された軸保持ブラケット（１３，２３）および前記固定ブラケット（１２，２２）を介して回転自在に支持された軸（１４，２４）に当接することで支持されており、前記軸（１４，２４）の前記可動ブラケット（１１，２１）との当接部には、前記可動ブラケット（１１，２１）に支持されたローラ（１０ａ，２０ａ）と前記金型取付面（１ａ）に固着された金型（３）の下端面（３ａ）との間に間隙（Ｌ）を生じさせるためのＤカット面（１４ａ，２４ａ）が形成されていることを特徴とする射出成形機における金型段取り用ローラ装置を有する型盤。
【請求項２】
少なくともＤカット面（１４ａ，２４ａ）が可動ブラケット（１１，２１）の下端面（１１ｂ，２１ｂ）に当接する軸（１４，２４）の回転位置において前記軸（１４，２４）の回転を停止させるための回転停止手段（１７，２７）を備えていることを特徴とする請求項１記載の射出成形機における金型段取り用ローラ装置を有する型盤。
【発明の詳細な説明】
【０００１】
【発明の属する技術分野】
本発明は、射出成形機の金型交換作業時等において、金型を型盤の金型取付面における金型取付け部位へ搬入したり、金型を型盤から外部へ搬出する際に、金型を支持して搬送するための射出成形機の金型段取り用ローラ装置を有する型盤に関するものである。
【０００２】
【従来の技術】
従来の射出成形機における金型段取り用ローラ装置を有する型盤は、図２の（ａ），（ｂ）に示すように、固定盤５４および可動盤５６（以下、「型盤５４，５６」という。）のそれぞれの金型取付面に取付けられた金型５８，６０の下面に当接するように、型盤５４，５６の金型取付面を水平に横切る線上に沿って互いに間隔をおいて配設された複数のローラ５０を備え、前記ローラ５０は型盤５４，５６の金型取付面を水平に横切る線上に沿って互いに間隔をおいて形成された治具取付用ねじ穴５４ａ，５６ａに螺合することで固着された支持軸５０ａによってそれぞれ回転自在に軸支されたものであって、ローラ５０を型盤５４，５６に取付けたまま成形作業が行なえるように構成されている。
【０００３】
この従来の射出成形機における金型段取り用ローラ装置を有する型盤において、金型５８，６０を型盤５４，５６に取付ける場合には、２点鎖線で示すように型盤５４，５６の一側部の外側に配設された外部ローラ５１上に金型５８，６０を載置したのち矢印方向へ押込むことによって型盤５４，５６の金型取付け部位におけるローラ５０上に移動させたのち、複数の金型取付けボルト６２で締付けることによって固着する。また、金型５８，６０を型盤５４，５６から取外す場合には、複数の金型取付けボルト６２を緩めて金型５８，６０を型盤５４，５６からローラ５０へ離脱させたのち、反矢印方向へ押出して外部ローラ５１上へ搬出する。
【０００４】
【発明が解決しようとする課題】
しかしながら上記従来の技術では、型盤に取付けられたローラが金型の下面に常時当接しているため、成形作業中における高温によって金型が熱膨張変形してこれに起因する力がローラに加わり、ローラが曲げ変形したり損傷するおそれがある。また、ローラからの反力により金型の位置がずれてガイドピンにかじりが生じたり、金型のスプル中心軸と射出ノズル中心軸とがずれて射出中に樹脂漏れを生じることがあるという問題点があった。
【０００５】
本発明は、上記従来の技術の有する問題点に鑑みてなされたものであって、成形作業中における高温により金型が熱膨張変形しても、ローラが曲げ変形したり損傷するおそれがなく、また、ローラからの反力により金型の位置がずれることがない射出成形機における金型段取り用ローラ装置を有する型盤を実現することを目的とするものである。
【０００６】
【課題を解決するための手段】
上記目的を達成するため、本発明の射出成形機における金型段取り用ローラ装置を有する型盤は、射出成形機における型盤の金型取付面における下方部位に、前記金型取付面を水平に横切る線上に沿って互いに間隔をおいて配設された複数の回転自在なローラを備え、前記ローラ上に金型を載置して移動させることで前記型盤の側部外方から前記金型の搬入と搬出とを行なう金型段取り用ローラ装置を有する型盤において、前記複数のローラが、前記型盤の金型取付面に上下方向へのみ移動自在に配設された可動ブラケットに支持されたローラと、前記型盤に固定された型盤側部外方へ突出する固定ブラケットに支持されたローラからなり、しかも前記可動ブラケットは、その下端面が前記型盤に突設された軸保持ブラケットおよび前記固定ブラケットを介して回転自在に支持された軸に当接することで支持されており、前記軸の前記可動ブラケットとの当接部には、前記可動ブラケットに支持されたローラと前記金型取付面に固着された金型の下端面との間に間隙を生じさせるためのＤカット面が形成されていることを特徴とするものである。
【０００７】
また、少なくともＤカット面が可動ブラケットの下端面に当接する軸の回転位置において前記軸の回転を停止させるための回転停止手段を備えているとよい。
【０００８】
【作用】
成形作業中は、軸をそのＤカット面が可動ブラケットの下端面に当接する回転位置に回転させることにより可動ブラケットに支持されたローラを下降させて、該ローラと金型の下端面との間に間隙を設けることができる。その結果、金型が成形作業中における高温によって熱膨張変形しても、これに起因する力が金型に加わることがない。また、金型の交換時等における金型の搬入および搬出は、前記軸をＤカット面以外の周面を可動ブラケット下端面に当接する回転位置に回転することで可動ブラケットに支持されたローラを上昇させて、該ローラを金型の下端面に当接させることができる。
【０００９】
【発明の実施の形態】
本発明の実施の形態を図面に基づいて説明する。
【００１０】
図１は本発明に係る射出成形機における金型段取り用ローラ装置を有する型盤の一実施例を示し、（ａ）は金型合わせ面に沿って切断した固定盤側の模式断面図、（ｂ）は（ａ）のＡ−Ａ線に沿う模式部分断面図、（ｃ）は可動ブラケットとともにローラが下降した状態を示す（ｂ）と同様の模式部分断面図である。
【００１１】
図１の（ａ）に示すように、固定盤１の金型取付面１ａには金型３が複数の金型取付けボルト１８により着脱自在に固着されている。固定盤１の４隅に固着されたタイバー２には図示しない可動盤が固定盤１に対して進退自在に案内されており、この可動盤と固定盤１とにより型盤が構成されている。型盤を構成する前記可動盤と固定盤１とにはそれぞれ金型段取り用ローラ装置が設けられているが、両者は同様の構造のものであるため、以下、固定盤１に設けられた金型段取り用ローラ装置のみについて説明する。
【００１２】
図１の（ａ）および（ｂ）に示すように、固定盤１の金型取付面１ａにおける金型３の下方部位には、図示しないあり溝等の案内手段を介して図示上下方向のみへ移動自在に支持された２個の可動ブラケット１１，２１が平行に配設されている。また、前記金型取付面１ａの両側縁部近傍には断面形状が略Ｌ字状の固定ブラケット１２，２２の一端側が固着されており、各固定ブラケット１２，２２は他端側を下向きにしてその大部分が固定盤１の側縁部から外方へ突出している。
【００１３】
各可動ブラケット１１，２１の上端近傍における可動盤対向面１１ａ，２１ａにはそれぞれローラ１０ａ，２０ａを回転自在に軸支する２個のローラ軸２０ｃ（１０ｃは不図示）が金型３の下端面３ａに平行に突設されており、また、各固定ブラケット１２，２２の上端近傍における可動盤対向面１２ａ，２２ａにはそれぞれローラ２０ｂを回転自在に軸支する２個の図示しないローラ軸が金型３の下端面３ａと平行に突設されている。
【００１４】
固定盤１の金型取付面１ａにおける各可動ブラケット１１，２１の下方部位には、一対の軸保持ブラケット１３，２３がそれぞれ可動ブラケット１１，２１の下端側を間に挟むように突設されており、図示左側の可動ブラケット１１および固定ブラケット１２には一方の軸１４が回転自在に支持されているとともに、図示右側の可動ブラケット２１および固定ブラケット２２には他方の軸２４が回転自在に支持されている。そして、各軸１４，２４の各可動ブラケット１１，２１の下端面１１ｂ，２１ｂに当接する部位にはＤカット面１４ａ，２４ａがそれぞれ形成されており、各Ｄカット面１４ａ，２４ａ以外の周面が各可動ブラケット１１，２１の下端面１１ｂ，２１ｂに当接されたときには、各可動ブラケット１１，２１はローラ１０ａ，２０ａが固定盤１に取付けられた金型３の下端面３ａに当接する位置までそれぞれ上昇し、各Ｄカット面１４ａ，２４ａが各可動ブラケット１１，２１の下端面１１ｂ，２１ｂに当接されたときには、各可動ブラケット１１，２１は各ローラ１０ａ，２０ａが固定盤１に取付けられた金型３の下端面３ａから間隙Ｌが生じる位置まで下降する。
【００１５】
つまり、各可動ブラケット１１，２１は、その下端面が型盤１に突設された軸保持ブラケット１３，２３および固定ブラケット１２，２２を介して回転自在に支持された軸１４，２４に当接することで支持されている。
【００１６】
なお、本実施例においては、各固定ブラケット１２，２２の他端側にそれぞれ軸１４，２４を軸支する軸保持部材１６，２６が一体的に設けられており、各軸１４，２４の軸保持部材１６，２６から突出する突出部には回転ブラケット１５，２５が固着されている。そして、前記回転ブラケット１５，２５と前記軸保持部材１６，２６との対向面にボールプランジャ１７，２７を配設することにより、各軸１４，２４のＤカット面１４ａ，２４ａが可動ブラケット１１，２１の下端面１１ｂ，２１ｂに当接する回転位置で各軸１４，２４の回転を停止できるように構成されている。
【００１７】
次に本実施例の動作について説明する。
【００１８】
成形作業中は、図１の（ｃ）に示すように各軸１４，２４はそのＤカット面１４ａ，２４ａが各可動ブラケット１１，２１の下端面に当接される回転位置に停止されており、各可動ブラケット１１，２１とともにローラ１０ａ，２０ａが下降して各ローラ１０ａ，２０ａと固定盤１の金型取付面１ａに固着された金型３の下端面３ａとの間には間隙Ｌが生じている。このため、金型３が高熱のために熱膨張変形してもこれに起因する力が各ローラ１０ａ，２０ａに加わることがないので、ローラ１０ａ，２０ａが曲げ変形したり損傷することがない。また、各ローラ１０ａ，２０ａからの反力が金型３にかからないので金型３の位置がずれることがない。
【００１９】
金型３を交換する場合には、型盤を型開きして各軸１４，２４を図１の（ｃ）に示す回転位置から約９０度回転させて、図１の（ｂ）に示すようにＤカット面１４ａ，２４ａ以外の周面を当接させることにより各可動ブラケット１１，２１とともに各ローラ１０ａ，２０ａを上昇させて各ローラ１０ａ，２０ａの周面を金型３の下端面３ａに当接させる。ついで金型取付けボルト１８を緩めて金型３を固定盤１から各ローラ１０ａ，２０ａ上へ離脱させたのち、図示右方向へ向けて押出すことによって各ローラ１０ａ，２０ａと固定ブラケット２２に支持されたローラ２０ｂ上で移動させて二点鎖線で示すように固定盤１の右側外方へ搬出する。
【００２０】
ついで、交換すべき新たな金型を図１の（ａ）に二点鎖線で示すように、固定ブラケット２２に支持されたローラ２０ｂに載置したのち、矢印方向へ押込むことによって固定盤１の金型取付面１ａの所定の部位まで可動ブラケット１１，２１に支持されたローラ１０ａ，２０ａ上を移動させて搬入したのち、複数の金型取付けボルト１８を締付けて固着する。
【００２１】
なお、本発明において、上記実施例に示した分割された一方の軸１４と他方の軸２４に限らず、分割されていない１本の軸を用いることができることはいうまでもない。また、可動ブラケット１１，２１は２個に限らず、１個または３個以上とすることができる。
【００２２】
さらに、上記実施例では各軸１４，２４の回転を停止させるための回転停止手段としてボールプランジャ１７，２７を用いてるが、これに限らずキー溝とキーあるいは止めボルト等の他の回転停止手段を用いてもよい。加えて、これら回転停止手段は、Ｄカット面１４ａ，２４ａが当接する各軸１４，２４の回転位置のかわりに、各軸１４，２４のＤカット面１４ａ，２４ａ以外の周面が当接する回転位置で回転が停止するように設けることができるほか、複数の回転位置で軸１４，２４の回転が停止するように設けることができる。
【００２３】
【発明の効果】
本発明は上述のとおり構成されているので、次に記載するような効果を奏する。
【００２４】
成形作業中において、型盤に固着されている金型と、金型を搬送するためのローラとの間に間隙を設けておくことができるので、成形作業中における高温により金型が熱膨張変形しても、ローラが変形したり損傷するおそれがない。また、ローラからの反力が金型に加わって金型が移動することがないため、型盤に固着された金型の位置がずれてガイドピンにかじりを生じたり、スプル中心軸と射出ノズル中心軸とがずれて射出中に樹脂漏れを生じるおそれもなくなる。
【図面の簡単な説明】
【図１】本発明に係る射出成形機における金型段取り用ローラ装置を有する型盤の一実施例を示し、（ａ）は金型合わせ面に沿って切断した固定盤側の模式断面図、（ｂ）は（ａ）のＡ−Ａ線に沿う模式部分断面図、（ｃ）は可動ブラケットとともにローラを下降させた状態の（ｂ）と同様の模式部分断面図である。
【図２】従来の射出成形機における金型段取り用ローラ装置を有する型盤の一例を示し、（ａ）は主要部の模式部分側面図、（ｂ）は（ａ）のＡ−Ａ線に沿う模式断面図である。
【符号の説明】
１    固定盤
１ａ    金型取付面
２    タイバー
３    金型
１０ａ，１０ｂ，２０ａ，２０ｂ    ローラ
１１，２１    可動ブラケット
１２，２２    固定ブラケット
１３，２３    軸保持ブラケット
１４，２４    軸
１５，２５    回転ブラケット
１６，２６    軸保持部材
１７，２７    ボールプランジャ
１８    金型取付けボルト
【図１】
0003541990.tif 000002
【図２】
0003541990.tif 000003